(57)【特許請求の範囲】
【請求項１】
薬液滴下用細管を有する薬液瓶と、
該薬液瓶の戴置収納台と、
前記戴置収納台の底部押し上げ用Ｌ字型てこ体と、
同てこ体の前方に突出した押し下げレバーと、
薬液瓶の上方口に挿着された薬液瓶キヤップと、
該キヤップに固着された上面に小孔を有するスポイドと、
前記戴置された薬液瓶キヤップのスポイド上方に配設されたスポイド上面押圧具と、
該押圧具の移動機構を備えてなることを特徴とする薬液ディスペンサー。
【請求項２】
薬液滴下用細管を有する薬液瓶と、
該薬液瓶の戴置収納台と、
前記戴置収納台の底部押し上げ用Ｌ字型てこ体と、
同てこ体の前方に突出した押し下げレバーと、
薬液瓶の上方口に挿着された薬液瓶キヤップと、
該キヤップに固着された上面に小孔を有するスポイドと、
前記戴置された薬液瓶キヤップのスポイド上方に設けられた倒伏皿状のスポイド上面押圧具と、
該押圧具の移動機構と、
前記戴置薬液瓶背面の光透過用窓と、
前記滴下用細管の下に配設された滴下薬液の受け皿と、
上記の各機構並びに器具を取り付けた底板及び、
その前面及び側面が開放された構造体を備えてなることを特徴とする請求項１に記載の薬液ディスペンサー。
【請求項３】
薬液ディスペンサーが、複数個連結されてなることを特徴とする請求項１又は２に記載の薬液ディスペンサー。
【請求項４】
薬液瓶が、瓶本体に設けられた瓶内の底部から立ち上がり上部側面を貫通して外部に突出し、その先端が瓶の外壁に沿って鈍角に下垂した薬液滴下用細管を有し、
また、外周面が螺刻された薬液瓶上部と、
内周面が螺刻されたキヤップと、
該キヤップは、キヤップの上部開口部に固着された弾力性をもちかつその上面中央に小孔が設けられたスポイドを有し、
さらに、前記キヤップ内面に配設された密着用パッキンとから構成されてなることを特徴とする請求項１〜３のいずれか１項に記載の薬液ディスペンサー。
【請求項５】
薬液瓶が、薬液瓶本体と、薬液瓶のキヤップと、キヤップ上部スポイド部とから構成され、
前記キヤップは、薬液瓶に定着され、また瓶内の底部から立ち上がりキヤップの上部側面を貫通して外部に突出してその先端が瓶の外壁に沿って鈍角に下垂した薬液滴下用細管を有し、
前記スポイド部は、上記キヤップの上部開口部に挿着され、また、弾力性を有しかつその上面中央に小孔が設けられたスポイドを有し、
そして、上記キヤップに対し着脱可能であることをを特徴とする請求項１〜３のいずれか１項に記載の薬液ディスペンサー。
【発明の詳細な説明】
【０００１】
【発明の属する技術分野】
本発明は、医科歯科治療における薬液瓶に係り、特に間接的に薬液瓶より適量の薬液を滴下させる薬液ディスぺンサーに関する。
【０００２】
【従来の技術と発明が解決しようとする課題】
【０００３】
従来、医科歯科用の治療においては、患部に薬液を塗布する場合、使用する際に薬液瓶の蓋を取って綿棒先端部の綿球や、ピンセットに挟んだ綿栓等に薬液を浸潤させ患部に塗布しているが、繰り返し使用するために薬液が汚染や変質をきたすおそれがあり、また、薬液瓶の蓋を開ける際に蓋の汚染や、薬液が手に付着する危険性もあった。
従って、感染の予防や薬品による事故を防止すると共に、薬液の適量を供給し、無駄をなくすことが課題であった。
上記に対して、薬液の検出部と、その処理回路部と、駆動部及び滴下機構よりなる、電子回路と機構部分を複雑に組み合わせた製品があるが、形も大きくまた、高価であり、実用上問題があった。
さらに、簡易型の薬液ディスペンサー（特開平１０−１１３３５７）における事例においては、薬液瓶の上部が密閉されまた、先端部の滴下用細管が開口されているため、特に周囲の温度差が大きい時には、薬液瓶の上方に密閉貯留されている空気の収縮と膨張により、滴下用細管から薬液が外部に漏れることがあった。
【０００４】
【課題を解決するための手段】
本発明者は上記に鑑み鋭意実験研究の結果、下記の手段によりこれらの課題を解決した。
（１）薬液滴下用細管を有する薬液瓶と、該薬液瓶の戴置収納台と、前記戴置収納台の底部押し上げ用Ｌ字型てこ体と、同てこ体の前方に突出した押し下げレバーと、薬液瓶の上方口に挿着された薬液瓶キヤップと、該キヤップに固着された上面に小孔を有するスポイドと、前記戴置された薬液瓶キヤップのスポイド上方に配設されたスポイド上面押圧具と、該押圧具の移動機構を備えてなることを特徴とする薬液ディスペンサー。
（２）薬液滴下用細管を有する薬液瓶と、該薬液瓶の戴置収納台と、前記戴置収納台の底部押し上げ用Ｌ字型てこ体と、同てこ体の前方に突出した押し下げレバーと、薬液瓶の上方口に挿着された薬液瓶キヤップと、該キヤップに固着された上面に小孔を有するスポイドと、前記戴置された薬液瓶キヤップのスポイド上方に設けられた倒伏皿状のスポイド上面押圧具と、該押圧具の移動機構と、前記戴置薬液瓶背面の光透過用窓と、前記滴下用細管の下に配設された滴下薬液の受け皿と、上記の各機構並びに器具を取り付けた底板及び、その前面及び側面が開放された構造体を備えてなることを特徴とする（１）項に記載の薬液ディスペンサー。
【０００５】
（３）薬液ディスペンサーが、複数個連結されてなることを特徴とする（１）項又は（２）項に記載の薬液ディスペンサー。
（４）薬液瓶が、瓶本体に設けられた瓶内の底部から立ち上がり、上部側面を貫通して外部に突出し、その先端が瓶の外壁に沿って鈍角に下垂した薬液滴下用細管を有し、また、外周面が螺刻された薬液瓶上部と、内周面が螺刻されたキヤップと、該キヤップは、キヤップの上部開口部に固着された弾力性をもちかつその上面中央に小孔が設けられたスポイドを有し、さらに、前記キヤップ内面に配設された密着用パッキンとから構成されてなることを特徴とする（１）項〜（３）項３のいずれか１項に記載の薬液ディスペンサー。
（５）薬液瓶が、薬液瓶本体と、薬液瓶のキヤップと、キヤップ上部スポイド部とから構成され、前記キヤップは、薬液瓶に定着され、また瓶内の底部から立ち上がりキヤップの上部側面を貫通して外部に突出してその先端が瓶の外壁に沿って鈍角に下垂した薬液滴下用細管を有し、前記スポイド部は、上記キヤップの上部開口部に挿着され、また、弾力性を有しかつその上面中央に小孔が設けられたスポイドを有し、そして、上記キヤップに対し着脱可能であることをを特徴とする（１）項１〜（３）項のいずれか１項に記載の薬液ディスペンサー。
【０００６】
【発明の実施の形態と実施例】
本発明の実施の形態を実施例の図に基づいて説明する。
図１は、本発明の薬液ディスぺンサーの外観斜視図で、同一の作用を有する４組みの薬液ディスペンサーが連結収納されている。
図において、１は薬液ディスペンサー、２は縦板、３は押さえ具固定移動板、４は底板、５は滴下薬液受け皿、５′は支柱止めねじ、６は押し下げレバー、７は薬液瓶、８は滴下用細管、９はキヤップ、１０はスポイド、１１はスポイド上面押圧具、１２はＬ型てこ体取り付け台、１３は薬液瓶戴置収納台、１４は収納台押し上げバー、１５は回転用ピン、１６はてこ体、１６′は支点ピン、１７は光透過用窓、１８は薬液受け皿支柱、１９は横縦変換レバー、２０は綿球、２１は綿棒、２２は親指、２３は小指、２４は人差し指、２５はレバー押し下げ方向、２８は移動板回転方向、をそれぞれ示す。
以下、歯科治療における図２〜図４に示した薬液瓶を使用した事例について全体の作用を説明する。
【０００７】
図１において、押さえ具固定移動板３は、矢印２８の方向に回転させ簡単に開くことができ（図９、図１０）薬液瓶７のセット、取り外しを容易に行う（後記）ことができる。
また、押し下げレバー６をレバー押し下げ方向２５に押し下げると、戴置されている薬液瓶７は押し上げられて、その先端部の滴下用細管８から薬液３９の滴４０が、滴下される（後記）。
図においては、片手の親指２２と人差し指２４でつまんだ綿棒２１の綿球２０を滴下用細管８の下に挿入し、小指２３で押し下げレバー６を押し下げている状態を示している。
また、もし薬液３９が綿球２０より漏れた場合には、下方に着脱可能に設置された滴下薬液受け皿５に落ちるので、取り外して洗浄することができる。
その後、押し下げレバー６から小指２３を離すと、押し下げレバー６は、薬液瓶７の自重とてこ体１６の作用により（後記）元の位置に復帰し、施術者は前記綿棒２１を取り出して、例えば患者の患部に塗布する。
本発明の薬液ディスペンサーは簡単な構造で小型軽量であり、可搬してどこに置いてもよい。また、置き場所の温度差が大きい場合でも、薬液が自然漏洩のない構造とし、さらに治療に際しては、施術者は薬液瓶に直接触れることなく治療に要する薬液の適量が得られ、感染の防止や、付着による危険を防止するとともに経費の節減もできる。
そして、薬液瓶は、キヤップを着脱し、減量した薬液を補充、又は新規に薬液瓶を入れ替えることが可能である。
【０００８】
次に、本発明の薬液ディスペンサーに使用される薬液瓶の構造と作用を図に基づいて説明する。
事例としてまず図２〜図４に図示した薬液瓶について説明する。
図２は、薬液瓶の平面図である。
図において、３１は通気用小孔を示す。
図３は図２のＸ−Ｘ′縦断面図である。
図において、３２はパッキン、３３はキヤップ内側螺刻、３４は瓶上部外周螺刻、３５はスポイド接着及びパッキン溝形成カラ−、３９は薬液、４９はスポイド及び瓶上部の空気を示す。
図４は図２のＹ−Ｙ′縦断面図である。
図において、３０は薬液通路、３６は細管と瓶底のギヤップ、３７は瓶右端の底厚、３８は瓶左端の底厚を示す。
【０００９】
図３及び図４に示したように、薬液３９を滴下させる滴下用細管８の基部先端は、薬液瓶７内の底部の一隅（図４の瓶右端の底厚３７の上）に細管と瓶底のギヤップ３６をあけた位置にあり、その先端は、そこから内壁に沿って立ち上がり、薬液瓶７の上部側面を貫通して外部上方に突き出され、湾曲して薬液瓶７の外壁に沿って薬液瓶７の半ばまで鈍角に下垂している。
なお、上記薬液瓶７と滴下用細管８とは、貫通部分で封着され一体構造となっている。
そして上記薬液瓶７の上部は、瓶上部外周螺刻３４のように外周が螺刻されており、また、薬液瓶７のキヤップ９は内周面が、キヤップ内側螺刻３３のように螺刻されており、該キヤップ９は、前記薬液瓶７の上部に着脱自在に螺着される。
さらに、前記キヤップ９の上面中央は開口されており、該開口部の内周には、図示したように、スポイド接着及びパッキン溝形成カラ−３５が固着され、
該カラー３５の下部とキヤップ９の上部との間にはリング状の溝が形成され、
該溝にパッキン３２が挿嵌される。
このため、前記瓶の上部とキヤップとを螺着したとき、パッキン３２は瓶７の上端周縁により圧着され気密性を保つことができる。
そして、前記カラー３５の上部の外周には、押圧に対して復原性をもちかつ、その上部中央に通気用小孔３１が設けられた弾力性を有するスポイド１０が密着固定されている。
したがって、上記キヤップ９と、スポイド接着及びパッキン溝形成カラ−３５と、スポイド１０とは一体構造となっている。
【００１０】
次に、上記薬液瓶７の作用を説明する。
最初、施術者は前記一体構造のキヤップ９の螺着を緩め、薬液瓶７の上部から取り外した後、薬液瓶７上部の開口部から薬液３９を瓶の肩口付近まで注入する。
そして、前記キヤップ９を再び薬液瓶７に螺着する。
この状態でスポイド１０の通気用小孔３１を例えば、手指で塞ぎながら下方に押圧すると、スポイド１０内部及び瓶７上部の空気４９は密閉状態となって薬液３９の上面を押圧し、その容積分滴下用細管８の薬液通路３０を通って薬液３９が外部に押し出される。
上記の押圧を止めると、スポイド１０は復元し、前記密閉押圧された空気は元に戻るため、滴下用細管８先端部に来ている薬液８も元に戻る。
このスポイド１０が復元した状態で、手指を離すと前記通気用小孔３１は開口され、前記細管８内の薬液８は外部には漏れない（後記）。
なお、瓶内の薬液が多量の場合でも連通管の原理により細管８の最上部位置を越えない限り外部には漏れない。
【００１１】
そして、前記通気用小孔３１は下記に記述する重要な作用をもっている。
前記スポイド１０の上面は、本発明の薬液ディスペンサー１では、上記に説明した手指に代わって、スポイド上面押圧具１１（図１、図９）によって押圧され、また、離すと復元される。
前述したように押圧するときは、スポイド１０の通気用小孔３１は上から塞がれ、スポイド１０内の空気は密封されるとともに押圧される。
押圧を止めると、スポイド上面押圧具１１はスポイド１０の上面の至近距離の位置にあり非接触状態となるため、前記通気用小孔３１は僅かな隙間をもって開口される。このため、前記スポイド１０及び薬液瓶７上部内にある空気の圧力は外部の空気圧と同気圧となる。
上記の作用によって、薬液ディスペンサー１が置かれている周囲の気温が大きく変化しても、スポイド１０及び薬液瓶７上部の空気４０の気圧は変わらない。
したがって、スポイド１０及び薬液瓶７上部にある空気の温度差による膨張収縮に起因する薬液漏れが生ずることはない。
【００１２】
また、前記薬液瓶７の底部は、図４に示したように滴下用細管８の基部先端がある位置がもっとも深く、その位置を中心として周囲は次第に傾斜して浅くなるように作製されており、薬液３９は減少すると深い部分に集まってくるので、最後まで無駄なく使用できる。
【００１３】
また、薬液瓶７及び薬液滴下細管８の材質は、耐薬液性をもち、透明、あるいは茶、青、緑等の薄い着色がなされ、直射光を遮るとともに、薬液の貯留状態が外から可視できるガラス製品等であることが望ましい。
そして、スポイド１０及びパッキン３２はシリコンゴム等がよく、キヤップ９及びカラーは３５は合成樹脂等でよい。
なお、前記薬液瓶の容積は１〜数ＣＣ程度の大きさでよい。
【００１４】
次に事例として図５〜図６に図示した薬液瓶その２の構造について説明する。図５は、薬液瓶その２の平面図である。
図において、４５は着脱用スポイド部を示す。
図６は図５のＸ−Ｘ′縦断面図である。
図において、４１は薬液瓶本体、４２は瓶の厚底、４３は瓶の薄底、４４は固着用キヤップ、４６はスポイド固着用カラー、４７はキヤップ固着薬液瓶内周面、４８はキヤップ着脱用スポイド部外周面を示す。
【００１５】
図６に示したように、薬液瓶は、薬液瓶本体４１の上部と固着用キヤップ４４とは一体構造とし、キヤップ固着薬液瓶内周面４７において例えば接着材等で固着される。
また、上記固着用キヤップ４４は、薬液瓶本体４１内の底部から立ち上がりキヤップの上部側面を貫通して外部に突出してその先端が瓶の外壁に沿って鈍角に下垂した薬液滴下用細管３０を有している。
前記スポイド部４５は、、上記キヤップ４４の上部開口部に固着され、また弾力性を有しかつ、その上面中央に小孔が設けられたスポイドを有し、
そして上記キヤップ４４に対し密接しつつ着脱可能であることを特徴とする。
薬液瓶本体４１及び薬液滴下細管８の材質は、耐薬液性をもち、透明、あるいは茶、青、緑等の薄い着色がなされ、直射光を遮るとともに、薬液の貯留状態が外から可視できるガラス製品等であることが望ましい。
また、薬液瓶本体４１の形状は下部及び底面が角形であってもよい。
そして、スポイド１０はシリコンゴム等がよく、着脱用スポイド部４５は合成樹脂、硬質ゴム等でよい。
なお、前記薬液瓶の容積は１〜数ＣＣ程度の大きさでよい。
【００１６】
次に、前記図５〜図６に示した薬液瓶その２（薬液瓶４１）の作用を説明する。
最初、施術者はキヤップ固着薬液瓶内周面４７において固着され、薬液瓶本体４１と一体構造のキヤップ４４に挿着されている着脱用スポイド部４５を、上方に引いてキヤップ着脱用スポイド部外周面４８から取り外した後、薬液瓶本体４１の上部キヤップ４４の開口部から薬液３９を瓶の肩口付近まで注入する。
そして、前記スポイド部を再び薬液瓶本体４１に挿着する。
この状態で例えば、スポイド１０の通気用小孔３１を手指で塞ぎながら下方に押圧すると、スポイド１０内部及び薬液瓶本体４１上部の空気４０は密閉状態となって薬液３９の上面を押圧しその容積分、滴下用細管８の薬液通路３０を通って薬液３９が外部に押し出される。
上記の押圧を止めると、スポイド１０は復元し、前記密閉押圧された空気は元に戻るため、滴下用細管８先端部の薬液通路３０に来ている薬液３９も元に戻る。このスポイド１０が復元した状態で、手指を離すと前記通気用小孔３１は開口され、前記細管８内の薬液８は連通管の原理により外部には漏れない。
また、前記薬液瓶本体４１の底部は、図６に示したように滴下用細管８の基部先端がある位置が最も深く、その位置を中心として周囲は次第に傾斜して浅くなるように作製されており、薬液３９は減少すると深い部分に集まってくるため、最後まで無駄なく使用できる。
また、本形式の薬液瓶本体４１は、滴下用細管８をキヤップ４４と一体としたため、通常の薬液瓶を使用することができる特徴を有する。
【００１７】
次に本発明の薬液ディスペンサー全体の構造について説明する。
図７は、本発明の薬液ディスペンサーの平面図、
図８は、図７の正面図、
図９は、図８の右側面図、
図１０は、図９の押圧具を開いた時の平面図、である。
図において、２６は連結具、２７は蝶番、２９はゴム足を示す。
上記図７〜図１０は薬液瓶７を装着した図で、押さえ具固定移動板３は閉じられ、連結具２６によって縦板２に連結されている。
連結具２６はすり割りが入った厚板状で、上方に回転用支点を有しており、すり割りの部分に縦板２の上端部を挟みこむと連結され、また離すと、押さえ具固定移動板３は蝶番２７により回転方向の矢印２８（図９）のように後方に開き、薬液瓶７の上部スポイド１０の上面は露出される（図１０）。
【００１８】
前記の連結された状態における作用を図に基づいて説明する。
図７において、滴下薬液受け皿５は、２つの止めねじ５′を外すと容易に着脱でき、滴下薬液の残渣等を洗浄することができる。
また、図９において、薬液瓶７は、薬液瓶戴置収納台１３の上にセットされており、スポイド１０上面の通気用小孔（３１）は、スポイド上面押圧具１１に対し微小ギヤップを保つように位置している。
前述したように、施術者が水平位置の押し下げレバー６を押し下げると、
途中から縦にひねって変換された縦横変換レバー１９を挟んで保持しているてこ体１６の回転用支点ピン１６′によつて、縦横変換レバー１９の延長端部は、上方に移動する。
図示したように、該延長端部に配設された回転ピン１５は、収納台押し上げバー１４の下方側端部を貫通し、そして該収納台押し上げバー１４の先端は前記薬液瓶戴置収納台１３の底面に固着されている。
したがって、前記レバー６を押し下げると、薬液瓶戴置収納台１３は上方に移動し、つれてその上にセットされている薬液瓶７も上方に移動する。
このとき、前記押さえ具固定移動板３は固定されているため、薬液瓶７のキヤップ９に固定されているスポイド１０の上面は、スポイド上面押圧具１１によって押圧される。
【００１９】
上記スポイド上面押圧具１１の底面のスポイド１０に接触する部分は曲面になっており（図１０）押圧時にスポイド１０上面の曲面にフイットする。
したがって、スポイド上面押圧具１１は、押圧時にはスポイド１０の上面に密着し、スポイド１０上面の通気用子孔３１を完全に塞ぎながら押圧を行うことができる。
そして、前述したように適量の薬液（３９）が滴下された後、押圧を止めると前記押し下げレバー６は、薬液瓶の重量と後方の延長端部の重量及び弾力性をもったスポイド１０の復原力により、前記てこ体１６の回転用支点ピン１６′を支点として元の状態に復帰する。
また、底板４の４隅にはゴム足２９が固着されており、薬液ディスペンサー１を置いたときまたは、操作時の安定姿勢を保つようになっている。
さらに、前記薬液瓶７の背面には光透過用窓１７が設けられており、中の薬液３９の貯留状態が可視できるようになっている。
以上述べたように本機器の作用及び操作は簡明である。
【００２０】
図１０は、押さえ具固定移動板を開いたときの平面図である。
前記連結具２６を上方に開いて連結を解除し、蝶番２７により回転方向の矢印２８のように後方に倒して（図９）、押さえ具固定移動板３を開いている。
この状態では、薬液瓶７は薬液瓶戴置収納台１３の上に戴置されているだけであり、容易に着脱することができるので、交換や外部での薬液補填作業は容易である。
また、図１では、４個の薬液ディスペンサーを同一底板上に配置しているが、単数又は少数ケあるいは、さらに多数の薬液ディスペンサーを配設してもよい。
【００２１】
【発明の効果】
本発明によれば下記に記述する優れた効果を発揮する。
１、本発明の請求項１〜２の発明によれば、
薬液瓶の戴置収納台と、押し下げレバーと、戴置収納台の底部押し上げ用Ｌ字型てこ体と、薬液瓶のキヤップのスポイド上面の倒伏皿状の押さえ器具と、該押さえ具の移動機構と、薬液瓶背面の光り透過用窓と、薬液瓶の滴下用細管の下に配設された滴下薬液の受け皿と、各機構並びに器具を取り付けた底板と、前面及び側面が開放された簡単な構造体により、レバーの押圧並びに滴下用細管の下への綿棒等の挿入が片手の指先で容易に実施でき、間接的に適量の薬液の供給を可能としたため、薬液の汚染、変質や感染等のおそれがなくかつ無駄がない。
また簡明な機構操作であるため実用的である。
２、請求項３の発明によれば、
薬液ディスペンサーが、複数個連結されてなるため、施術者の必要に応じて数の増減が可能である。
【００２２】
３、請求項４の発明によれば、
薬液瓶が、瓶内の底部から立ち上がり上部側面を貫通して外部に突出しその先端は瓶の外壁に沿って鈍角に下垂した滴下用細管を有し、また外周面が螺刻された薬液瓶上部と、内周面が螺刻されたキヤップと、該キヤップの開口部上部には固着された弾力性をもちかつ、その上部中央に小孔が設けられたスポイドとが一体化されており、またキヤップ内の密着用パッキンを有するため、
施術者はキヤップの螺着を緩め、薬液瓶から取り外した後、薬液瓶上部の開口部から薬液を注入でき、キヤップを再び薬液瓶に螺着すれば薬液瓶のがセットが簡単にできる。また、スポイドの通気用小孔を塞ぎながら下方に押圧するため、スポイド内部及び瓶上部の空気は密閉状態となって薬液の上面を押圧し、その容積分、滴下用細管の薬液通路を通って薬液が外部に押し出される。
押圧を止めると、スポイドは復元し、押圧された空気とともに滴下用細管の薬液も元に戻る。また、このとき通気用小孔は開口され薬液瓶上部の空気圧は外部と等しくなるため、薬液ディスペンサーが置かれている周囲の温度差による膨張収縮に起因する薬液漏れが生ずることはない。
【００２３】
４、請求項５の発明によれば、
薬液瓶が、薬液瓶本体と、キヤップと、スポイド部とから構成され、薬液瓶本体とキヤップは一体化でき、また、キヤップと薬液滴下用細管は一体化されており、さらにスポイド部はキヤップに対し着脱可能であるため、薬液瓶には通常の瓶を使用することができる。
【図面の簡単な説明】
【図１】本発明の薬液ディスぺンサーの外観斜視図。
【図２】本発明の薬液瓶の平面図。
【図３】図２のＸ−Ｘ′縦断面図。
【図４】図２のＹ−Ｙ′縦断面図。
【図５】薬液瓶その２の平面図。
【図６】図５のＸ−Ｘ′縦断面図。
【図７】本発明の薬液ディスペンサーの平面図。
【図８】図７の正面図。
【図９】図８の右側面図。
【図１０】図９の押圧具を開いた時の平面図。
【符号の説明】
１：薬液ディスペンサー                  ２：縦板
３：押さえ具固定移動板                  ４：底板
５：滴下薬液受け皿                      ５′：支柱止めねじ
６：押し下げレバー                      ７：薬液瓶
８：滴下用細管                          ９：キヤップ
１０：スポイド                          １１：スポイド上面押圧具
１２：Ｌ型てこ体取り付け台              １３：薬液瓶戴置収納台
１４：収納台押し上げバー                １５：回転用ピン
１６：てこ体                            １６′：支点ピン
１７：光透過用窓                        １８：薬液受け皿支柱
１９：横縦変換レバー                    ２０：綿球
２１：綿棒                              ２２：親指
２３：小指                              ２４：人差し指
２５：レバー押し下げ方向                ２６：連結具
２７：蝶番                              ２８：移動板回転方向
２９：ゴム足                            ３０：薬液通路
３１：通気用小孔                        ３２：パッキン
３３：キヤップ内側螺刻                  ３４：瓶上部外周螺刻
３５：スポイド接着及びパッキン溝形成カラ−
３６：細管と瓶底のギヤップ              ３７：瓶右端の底厚
３８：瓶左端の底厚                      ３９：薬液
４０：滴                                ４１：薬液瓶本体
４２：瓶の厚底                          ４３：瓶の薄底
４４：固着用キヤップ                    ４５：着脱用スポイド部
４６：スポイド固着用カラー              ４７：キヤップ固着薬液瓶内周面
４８：着脱用スポイド部外周面            ４９：スポイド及び瓶上部の空気
【図１】
0003797015.tif 000002
【図２】
0003797015.tif 000003
【図３】
0003797015.tif 000004
【図４】
0003797015.tif 000005
【図５】
0003797015.tif 000006
【図６】
0003797015.tif 000007
【図７】
0003797015.tif 000008
【図８】
0003797015.tif 000009
【図９】
0003797015.tif 000010
【図１０】
0003797015.tif 000011